(57)【要約】【課題】制御用ユニットにおいて、外部記録媒体であるカードの挿入口の近くに分電盤の側面などの障害物が配置された場合でも、当該カードの取り出しを可能にする。【解決手段】伝送ユニット（制御用ユニット）２は、ボディ部２１と、電源基板２２及び制御基板２３を収容してボディ部２１の上面を覆うカバー部２４とを有する。伝送ユニット２は、制御基板２３と接続される外部記録媒体を挿入するための挿入口２７を有したカードスロット部２６を備える。カードスロット部２６の挿入口２７は、このカードスロット部２６が設けられるカバー部２４の設置面に対して離れる方向に可動するようにカバー部２４に設けられる。この構成により、伝送ユニット２のカードの挿入口２７の近くに分電盤の側面などの障害物が配置された場合でも、ユーザは当該カードを容易に取り出すことが可能となる。【選択図】図２
2012227394.tif 000002
【特許請求の範囲】
【請求項１】
郭体内に負荷制御用の基板を収容して成る制御用ユニットにおいて、
前記基板と接続される外部記録媒体を挿入するためのスロット部を備え、
このスロット部は、前記外部記録媒体が挿入される挿入口が可動するように前記郭体に設けられていることを特徴とする制御用ユニット。
【請求項２】
前記スロット部の挿入口は、このスロット部が設けられる前記郭体の設置面に対して離れる方向に可動することを特徴とする請求項１記載の制御用ユニット。
【請求項３】
前記スロット部は、前記設置面側に凸部を有し、
前記基板は、前記凸部に対向する位置に、前記スロット部への電源供給を開始又は停止するためのスイッチ部を備え、
前記スロット部の挿入口が前記設置面に近づく動作に伴い、前記スイッチ部は前記凸部によって押下されて前記スロット部に電源供給が開始されることを特徴とする請求項２記載の制御用ユニット。
【請求項４】
前記郭体は、前記挿入口近傍に、前記スロット部の挿入口が前記設置面側にある状態において外部記録媒体が前記スロット部へ挿入されることを阻止するリブを有することを特徴とする請求項２又は請求項３に記載の制御用ユニット。
【発明の詳細な説明】
【技術分野】
【０００１】
本発明は、所定の制御信号に基づいて照明負荷を制御する照明制御システムなどに用いられる制御用ユニットに関する。
【背景技術】
【０００２】
従来より、照明負荷などの制御対象の負荷の状態を変化させるための入力端末器と、制御対象の負荷が接続された制御端末器とが信号線を介して伝送ユニット（制御用ユニット）にそれぞれ接続された照明制御システムが知られている。この照明制御システムでは、入力端末器から送信される伝送信号に基づいて、伝送ユニットが、入力端末器に関連付けられたアドレス情報と対応する制御端末器を介して照明負荷を制御する。
【０００３】
このような照明制御システムに用いられる制御用ユニットを図６を参照して説明する。制御用ユニット６０においては、照明負荷の制御用の各種アプリケーションプログラム等の書き換えやインストールなどが行われる。このため、制御用ユニット６０の側面に外部記録媒体であるＳＤカードなどのカード６１などを挿し込むカードスロット６２が設けられている。
【０００４】
ところで、伝送ユニットを備え、情報通信ネットワークを通じて遠隔監視制御装置側に設けられた負荷の制御ができる遠隔監視制御システムが知られている（例えば、特許文献１参照）。
【先行技術文献】
【特許文献】
【０００５】
【特許文献１】特開平１０−１３６４６６号公報
【発明の概要】
【発明が解決しようとする課題】
【０００６】
しかしながら、上記従来の制御用ユニット６０では、図６（ａ）に示すように制御用ユニット６０の側面位置にカードスロット６２が形成されている。このため、図６（ｂ）に示すように、制御用ユニット６０の分電盤６３内での設置位置によっては、分電盤６３の側面と制御用ユニット６０との距離が近くなり、カードスロット６２からカード６１の取り出しができなくなるという問題がある。
【０００７】
本発明は、上記課題に鑑みてなされたものであり、外部記録媒体であるカードの挿入口の近くに分電盤の側面などの障害物が配置された場合でも、当該カードの取り出しを可能にした制御用ユニットを提供することを目的とする。
【課題を解決するための手段】
【０００８】
上記目的を達成するために本発明は、郭体内に負荷制御用の基板を収容して成る制御用ユニットにおいて、前記基板と接続される外部記録媒体を挿入するためのスロット部を備え、このスロット部は、前記外部記録媒体が挿入される挿入口が可動するように前記郭体に設けられていることを特徴とするものである。
【０００９】
この制御用ユニットにおいて、前記スロット部の挿入口は、このスロット部が設けられる前記郭体の設置面に対して離れる方向に可動することが好ましい。
【００１０】
この制御用ユニットにおいて、前記スロット部は、前記設置面側に凸部を有し、前記基板は、前記凸部に対向する位置に、前記スロット部への電源供給を開始又は停止するためのスイッチ部を備え、前記スロット部の挿入口が前記設置面に近づく動作に伴い、前記スイッチ部は前記凸部によって押下されて前記スロット部に電源供給が開始されることが好ましい。
【００１１】
この制御用ユニットにおいて、前記郭体は、前記挿入口近傍に、前記スロット部の挿入口が前記設置面側にある状態において外部記録媒体が前記スロット部へ挿入されることを阻止するリブを有することが好ましい。
【発明の効果】
【００１２】
本発明によれば、外部記録媒体を挿入するためのスロット部の挿入口が、このスロット部が設けられる郭体の設置面に対して離れる方向に可動するので、挿入口の近くに分電盤の側面などの障害物が配置された場合でも、当該外部記録媒体の取り出しが可能となる。
【図面の簡単な説明】
【００１３】
【図１】本発明の実施の形態に係る照明制御システムの構成図である。
【図２】（ａ）同上照明制御システムにおける伝送ユニット（制御用ユニット）の分解斜視図、（ｂ）同上伝送ユニットの斜視図である。
【図３】（ａ）同上伝送ユニットの断面図、（ｂ）カードスロット部を外した状態での同上伝送ユニットの斜視図である。
【図４】同上実施の形態の変形例１に係る伝送ユニットの断面図である。
【図５】（ａ）同上実施の形態の変形例２に係る伝送ユニットの断面図、（ｂ）同上伝送ユニットの断面図である。
【図６】（ａ）従来の照明制御システムに用いる伝送ユニットの斜視図、（ｂ）同上伝送ユニットを分電盤内に設置した状態の平面図である。
【発明を実施するための形態】
【００１４】
本発明の実施の形態に係る制御用ユニットについて図面を参照して説明する。
【００１５】
（実施の形態）
図１は、本実施の形態に係る照明制御システム１の構成を示す。この照明制御システム１は、伝送ユニット（制御用ユニット）２と、リレー制御端末器３と、リモコンリレー４と、リモコントランス５と、スイッチ操作器６と、照明負荷７とを備えている。リレー制御端末器３、及びスイッチ操作器６は、２線式の信号線を介して伝送ユニット２と相互に接続されている。伝送ユニット２との情報のやり取りは、信号線に割り込み式時分割多重伝送方式で伝送される伝送信号を通して行われる。
【００１６】
この照明制御システム１では、室内の壁面などに埋め込まれたスイッチ操作器６などを用いて、複数の照明負荷７から一部の照明負荷７の点灯を省く間引き制御や照明負荷７のオン／オフ状態の操作を行うことができる。
【００１７】
伝送ユニット２は、スイッチ操作器６などからの伝送信号に基づいて、伝送信号に含まれるアドレス情報から制御対象となる照明負荷７を特定すると共に、照明負荷７に対する制御状態（オン、オフや調光状態）を特定する制御用ユニットとしての機能を有する。この伝送ユニット２は、制御対象となる照明負荷７と対応するリレー制御端末器３に対して、照明負荷７のアドレス情報と、その制御状態とを制御指令信号として送信する制御部を有している。
【００１８】
リレー制御端末器３は、リレーの制御状態に応じて照明負荷７の状態を制御する負荷制御端末器としての機能を担っている。リレー制御端末器３は、伝送ユニット２からの伝送信号に基づいて、自己に接続するリモコンリレー４のうち、制御対象となる照明負荷７に対応するリモコンリレー４に対して制御信号を送ることにより、リモコンリレー４の状態を制御する。リモコンリレー４の個々のリレーは、リレー制御端末器３に制御されて、ブレーカ電源（ＡＣ１００又は２００Ｖ）８などからの商用交流をオン／オフすることで、照明負荷７をオン状態やオフ状態にする。
【００１９】
リモコントランス５は、リレー制御端末器３、及びリモコンリレー４に駆動用の電力を供給する。
【００２０】
スイッチ操作器６は、照明負荷７を制御するための制御指令を出力するための入力端末器としての機能を担っている。具体的には、スイッチ操作器６は、例えば室内などの任意の壁面に設置されており、照明負荷７を利用するユーザによってプッシュ操作が可能な端末器である。スイッチ操作器６は、スイッチＳＷ（スイッチ手段）のいずれかが操作されるのに応じて、そのスイッチＳＷに関連付けられているアドレス情報と、スイッチＳＷの操作状態とを制御信号として伝送ユニット２に送信する送受信手段を備えている。
【００２１】
スイッチ操作器６の各スイッチＳＷには、照明負荷７の点灯制御を行うため、アドレス情報として個別アドレスやグループアドレスが設定されている。このスイッチＳＷのプッシュ操作に応じて、アドレスに対応する照明負荷７は、点灯状態へと移行する。なお、スイッチ操作器６は、照明負荷７を制御するための負荷操作器であるが、負荷操作器はこれらに限定されるものではない。すなわち、その他の負荷操作器として、検知された照度に基づいて照明負荷７を制御するためアドレス情報や制御情報を含む制御信号を、伝送信号線を介して伝送ユニット２に対して送信する照度センサが含まれる。また、この負荷操作器には、人体の熱を検出する熱線センサ、年間プログラムや時間帯プログラムに基づいて照明負荷７の点灯状態（オン状態、オフ状態や調光状態）を制御するタイマユニットを用いることもできる。
【００２２】
照明負荷７は、負荷アドレスによって一意に特定することができる。具体的には、リレー制御端末器３には、負荷チャネル（Ｃｈ）と呼ばれる固有の識別子が割り当てられており、リレー制御端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２３】
次に、本実施の形態に係る伝送ユニット２の構造について図２及び図３を参照して説明する。伝送ユニット２は、図２（ａ）に示すように、ボディ部（郭体）２１、電源基板２２、制御基板２３、カバー部（郭体）２４、端子２５、及びカードスロット部（スロット部）２６を備えている。この伝送ユニット２は、図示していないが、例えばプラグイン方式の分電盤内に設置される。照明制御システム１における分電盤には、例えば漏電遮断器や配線用遮断器のほかに電力量計や、制御用のリレー及び照明負荷７をリモコンで制御するための伝送ユニット２などが組み込まれる。
【００２４】
ボディ部２１は、前面に開口を有した略箱形状の樹脂等によって形成されており、カバー部２４に貫通孔を介してネジ止めされる。電源基板２２は、図３（ａ）に示すように、カバー部２４に形成されたネジ孔においてネジ止めされてカバー部２４内に収容される。電源基板２２は、端子２５を介して分電盤側の電源線と接続される。
【００２５】
制御基板２３は、カバー部２４に形成されたネジ孔においてネジ止めされて電源基板２２より上方に配置されてカバー部２４内に収容される。この制御基板２３は、外部に設けられたリレー制御端末器３やスイッチ操作器６などの信号入出力機能を有する装置を制御するためのＣＰＵ、アプリケーションプログラムを記憶するメモリ部やリレー制御端末器３などとの間で通信信号を送受信する通信部を備える。また、制御基板２３は、メモリ部に記憶されているアプリケーションプログラムの更新やインストールのため、カードスロット部２６の挿入口に挿し込まれる外部記録媒体となるカード（ＳＤカードなど）と通信接続される。
【００２６】
カバー部２４は、ボディ部２１の上面を覆うためのプラスチック材料（合成樹脂材料）などから成る保護面であり略箱形状で形成される。このカバー部２４には、電源基板２２、制御基板２３及びカバー部２４をネジ止めするため複数箇所にネジ孔が形成され、また、端子板ブロック２５ａを介して電源基板２２に接続される端子２５が取り付けられる。端子２５は、伝送ユニット２にＡＣ１００ＶやＡＣ２００Ｖの電力を供給するための電力線と接続され、また、他の端末器であるリレー制御端末器３やスイッチ操作器６と通信接続するための伝送信号線と接続される。
【００２７】
カードスロット部２６は、制御基板２３と接続される外部記録媒体であるカードを挿入するための挿入口２７を有したスロットボディ２６ａ、及びこのスロットボディ２６ａ内に収容され、制御基板２３と通信接続されるスロット基板２６ｂから構成される。また、図３（ｂ）に示すように、スロットボディ２６ａの挿入口２７と反対側には軸部２６ｃが形成され、伝送ユニット２にはこの軸部２６ｃと嵌合される軸受部２６ｄが形成される。この構成により、カードスロット部２６は、当該軸部２６ｃを中心軸として挿入口２７が、カードスロット部２６が設けられるカバー部２４の設置面に対して離れる方向である上方向に可動するようカバー部２４に取り付けられる。
【００２８】
上記のように構成された本実施の形態に係る伝送ユニット２は、カードの挿入口２７の近くに分電盤の側面などの障害物が配置された場合でも、ユーザはカードスロット部２６の挿入口２７を設置面に対して上方向に可動させ、カードを容易に取り出すことができる。
【００２９】
（第１の変形例）
本実施の形態の第１の変形例について、図４を参照して説明する。上記実施の形態では、伝送ユニット２の電源が入っている場合、挿入口２７からのカードの抜き差し時に、カードスロット部２６が必ず電気的に活線状態になってしまい、カードや基板への耐静電気性が問題になることが考えられる。
【００３０】
そこで、本変形例１に係る伝送ユニット２では、図４に示すように、カードスロット部２６の底面の略中央部に、垂直断面が凸形状のダボ（凸部）２６ｅを形成する。また、カードスロット部２６の下方に配置された制御基板２３は、ダボ２６ｅに対向する位置に、カードスロット部２６への電源供給を開始又は停止するためのスイッチ部２３ａを備える。
【００３１】
この構成により、カードスロット部２６の挿入口２７が設置面側に近づく方向である下方向に下げられる動作に伴い、スイッチ部２３ａはダボ２６ｅによって押下されてカードスロット部２６に電源供給が開始される。すなわち、カードスロット部２６が水平状態となりスイッチ部２３ａが押下されたＯＮ時においてのみ、カードスロット部２６への電源供給が開始される。一方、カードスロット部２６の挿入口２７が設置面に対して上方向に可動されてスイッチ部２３ａが押下されていないＯＦＦ時においては、カードスロット部２６への電源供給を止める回路構成とすることができる。
【００３２】
このため、本変形例１に係る伝送ユニット２では、カードスロット部２６の挿入口２７を設置面に対して上方向に可動させてスイッチ部２３ａがＯＦＦ状態でカードを抜き差しする場合の耐静電気性を向上させて、カードや制御基板２３の回路破損を防止できる。
【００３３】
（第２の変形例）
本実施の形態の第２の変形例について、図５を参照して説明する。上記変形例１では、カードスロット部２６が設置面側にある状態では、カードスロット部２６は電気的に活線状態となり、この状態でカードの取外しをすると回路破損を招くことが考えられる。
【００３４】
このため、本変形例２に係る伝送ユニット２では、図５に示すように、カバー部２４は、カードの挿入口２７の近傍に、カードスロット部２６が設置面側にある状態においてカードをカードスロット部２６への挿入を阻止するリブ２４ａを有する。
【００３５】
このため、図５（ａ）に示すように、カードスロット部２６の挿入口２７が設置面に対して上方向に上げられた制御基板２３のスイッチ部２３ａがオフ状態のときには、挿入口２７を介してカードの抜き差しが可能となる。一方、図５（ｂ）に示すように、カードスロット部２６が設置面側に下げられたスイッチ部２３ａがオン状態のときには、リブ２４ａが障害となりカードの抜き差しができなくなる。従って、本変形例２に係る伝送ユニット２では、カードスロット部２６に電源が供給されていない状態でのみカードの抜き差しができ、カードや制御基板２３の回路破損を防止して、カードの抜き差し時の安全性を向上することが可能となる。
【００３６】
なお、本発明は、上記実施の形態の構成に限られず、発明の趣旨を変更しない範囲で種々の変形が可能である。例えば、本発明に係るカードスロット部２６の構成は伝送ユニット２への適用に限定されるものではなく、外部記録媒体となるカードの挿入口を有する他の装置においても適用できる。また、上記では、カードスロット部２６がカバー部２４に設けられた形態を示したが、これに限られることなく、伝送ユニット２を構成する郭体の任意の部位に設けることができる。
【符号の説明】
【００３７】
１  照明制御システム
２  伝送ユニット（制御用ユニット）
３  リレー制御端末器
４  リモコンリレー
５  リモコントランス
６  スイッチ操作器
７  照明負荷
２１  ボディ部（郭体）
２２  電源基板
２３  制御基板（基板）
２３ａ  スイッチ部
２４  カバー部（郭体）
２４ａ  リブ
２５  端子
２６  カードスロット部
２６ａ  カードスロットボディ
２６ｂ  カードスロット基板
２６ｅ  ダボ（凸部）
２７  挿入口
【図１】
2012227394.tif 000003
【図２】
2012227394.tif 000004
【図３】
2012227394.tif 000005
【図４】
2012227394.tif 000006
【図５】
2012227394.tif 000007
【図６】
2012227394.tif 000008